(57)【要約】【課題】  本発明は、ストック部に積層された搬送対象物を傷めず、様々な厚みの搬送対象物を安定してストック部に搬送することができる搬送装置を提供することを目的とする。【解決手段】  シート状の搬送対象物が搬送される搬送経路と、搬送経路を得て搬送された搬送対象物が排出され、積層状態でストックされるストック部２とを備え、搬送経路の終端部位に、正逆転可能に構成され、正転動作時に、搬送対象物をストック部２に排出する搬送ローラ３と、搬送ローラ３と同期して同方向に回転する補助コロ４とを備えた搬送装置であって、補助コロ４が、正転動作時に、搬送対象物をストック部２に掻き落す掻落し部５と、逆転動作時に、積層状態にある搬送対象物の搬送経路側への引込を防止する引込防止部６とを備えて構成される。【選択図】        図２
2005187084.tif 000002
【特許請求の範囲】
【請求項１】
シート状の搬送対象物が搬送される搬送経路と、前記搬送経路を得て搬送された前記搬送対象物が排出され、積層状態でストックされるストック部とを備え、
前記搬送経路の終端部位に、正逆転可能に構成され、正転動作時に、前記搬送対象物を前記ストック部に排出する搬送ローラと、前記搬送ローラと同期して同方向に回転する補助コロとを備えた搬送装置であって、
前記補助コロが、前記正転動作時に、前記搬送対象物を前記ストック部に掻き落す掻落し部と、逆転動作時に、前記積層状態にある前記搬送対象物の前記搬送経路側への引込を防止する引込防止部とを備えて構成される搬送装置。
【請求項２】
前記補助コロが、正転方向で順次外形が増加する外径増加部と、前記外径増加部の最大外径部位から最小外径部位まで外径が急減する段差部とを備え、
前記外径増加部が前記引込防止部に、前記段差部が前記掻落し部に構成されている請求項１に記載の搬送装置。
【請求項３】
前記搬送ローラと前記補助コロとが同軸上に配設され、前記搬送ローラのローラ径に対して、前記補助コロの最小外径部位の径が小径に設定され、且つ、前記補助コロの最大外径部位の径が大径に設定されている請求項１または２に記載の搬送装置。
【請求項４】
前記搬送ローラと補助コロとが、所定間隔を有して配設される請求項１から３の何れか一項に記載の搬送装置。
【発明の詳細な説明】
【技術分野】
【０００１】
本発明は、搬送装置、特に、シート状の搬送対象物が搬送される搬送経路と、前記搬送経路を得て搬送された前記搬送対象物が排出され、積層状態でストックされるストック部とを備え、前記搬送経路の終端部位に、正逆転可能に構成され、正転動作時に、前記搬送対象物を前記ストック部に排出する搬送ローラと、前記搬送ローラと同期して同方向に回転する補助コロとを備えた搬送装置に関する。
【背景技術】
【０００２】
原稿搬送装置や画面ユニット等、シートをソータや両面装置等に搬送する搬送装置には、シートを確実に搬送するため、シートを搬送する搬送ローラと同軸上に、シートをストック部に蹴飛ばすためのシート蹴飛ばしコロや、腰付けコロを設けたものがある。
この種の技術には、例えば、搬送ローラ軸上に少なくとも２つの搬送ローラを設け、これらの搬送ローラの内側にフランジを設けて腰付けコロとし、これらの搬送ローラとは別に、搬送ローラの間に、シート蹴飛ばしコロを設けた搬送装置がある（例えば、特許文献１参照）。このシート蹴飛ばしコロは、外径がフランジ径以上であり、外周に略方形の歯が設けられている。
【特許文献１】特開平２００２−２８４４２１号公報
【発明の開示】
【発明が解決しようとする課題】
【０００３】
しかしながら、特許文献１のシート蹴飛ばしコロは、略方形の歯を外周に設けたギヤ形状であり、方向性が無いため、搬送ローラが正逆転する可能性のある搬送装置では、回転方向によって搬送方向及びその逆の方向のどちらの方向にも作用して、搬送されてきたシートを搬送経路側に巻き戻してしまうといった問題があった。意図しない場合にシートが搬送経路側に引込まれると、シートを傷めたり搬送装置を停止させたりする等して、搬送装置の安定性を損ない、安定したストックが行えなくなる。
【０００４】
本発明は上記の問題に鑑みてなされたものであり、その目的は、ストック部に積層された搬送対象物を傷めず、様々な厚みの搬送対象物を安定してストック部に搬送することができる搬送装置を提供する点にある。
【課題を解決するための手段】
【０００５】
〔特徴構成１〕
この目的を達成するための本発明に係るシート状の搬送対象物が搬送される搬送経路と、前記搬送経路を得て搬送された前記搬送対象物が排出され、積層状態でストックされるストック部とを備え、前記搬送経路の終端部位に、正逆転可能に構成され、正転動作時に、前記搬送対象物を前記ストック部に排出する搬送ローラと、前記搬送ローラと同期して同方向に回転する補助コロとを備えた搬送装置の第一特徴構成は、前記補助コロが、前記正転動作時に、前記搬送対象物を前記ストック部に掻き落す掻落し部と、逆転動作時に、前記積層状態にある前記搬送対象物の前記搬送経路側への引込を防止する引込防止部とを備えて構成される点にある。
即ち、本特徴構成によれば、補助コロが掻落し部と引込防止部とを備えるので、正転動作時には、搬送対象物を良好にストック部側に送り出して、確実にストック部に掻き落すことができると共に、逆転動作時には、搬送経路側に搬送対象物が捲込まれるのを防止することができる。従って、搬送対象物を傷めることなくスムーズに搬送することができ、搬送装置の安定性を高めることができる。
【０００６】
〔特徴構成２〕
同第二特徴構成は、前記補助コロが、正転方向で順次外形が増加する外径増加部と、前記外径増加部の最大外径部位から最小外径部位まで外径が急減する段差部とを備え、前記外径増加部が前記引込防止部に、前記段差部が前記掻落し部に構成されている点にある。
即ち、本特徴構成によれば、補助コロの掻き落し部を、正転動作時に外径が急減する段差部で構成するので、搬送対象物を良好に掴むことができ、搬送対象物を良好にストック部側に送り出して、確実にストック部に掻き落すことができる。そして、段差部が搬送対象物の後端に接してストック部に掻き落すので、搬送対象物に補助コロの跡が付き難く、搬送対象物を傷めない。また、逆転動作時には、搬送対象物の後端に、補助コロが最小外径部位から最大外径部位まで順に滑るように接するので、搬送対象物を搬送経路側に引込むのを有効に防止することができる。また、補助コロは、例えば、手裏剣状等、簡易な形状で構成されるので、手間をかけずに製作することができると共に、補助コロの現実的な実施形態を得ることができる。
【０００７】
〔特徴構成３〕
同第三特徴構成は、前記搬送ローラと前記補助コロとが同軸上に配設され、前記搬送ローラのローラ径に対して、前記補助コロの最小外径部位の径が小径に設定され、且つ、前記補助コロの最大外径部位の径が大径に設定されている点にある。
本特徴構成によれば、補助コロの最大外径部位の径が、搬送ローラのローラ径より大きく設定されているので、正転動作時は、段差部によって構成される掻落し部が搬送対象物を確実に掴んで、ストック部に搬送することができる。また、補助コロの最小外径部位の径が、搬送ローラのローラ径より小さく設定され、搬送ローラよりローラ径の小さい部位では補助コロが搬送対象物に接しないので、逆転動作時には、搬送対象物を搬送経路側に引込むのを有効に防止することができる。従って、本特徴構成の如く構成することにより、本発明に係る搬送装置の安定性を高めることができる。
【０００８】
〔特徴構成４〕
同第四特徴構成は、前記搬送ローラと補助コロとが、所定間隔を有して配設される点にある。
即ち、本特徴構成によれば、補助コロを搬送対象物の腰付けコロとして用いることができる。搬送対象物に腰を付けて搬送することで、搬送対象物を確実に掴むことができて、本発明に係る搬送装置の安定性をより高めることができる。
【発明を実施するための最良の形態】
【０００９】
以下、本発明に係る搬送装置１の実施形態を図面に基づいて説明する。
本発明に係る搬送装置１は、図１に示すように、搬送対象物としてのシートが搬送される搬送経路と、搬送経路を得て搬送されたシートが排出され、積層状態でストックされるストック部２とを備えている。そして、搬送経路の終端部位に、正逆転可能に構成され、正転動作時に、シートをストック部２に排出する搬送ローラ３と、搬送ローラ３と同期して同方向に回転する補助コロ４とが設けられている。ここで、搬送ローラ３は、ストック部２の上面の高さに位置するように設置されており、搬送ローラ３の上方には、搬送ローラ３と協働してシートを搬送するように構成される従動ローラ（図４の２点鎖線で示す）が備えられている。
【００１０】
搬送経路上を搬送されるシートは、搬送経路の終端部位で、搬送ローラ３及び従動ローラの回転動作によってストック部２に向かって搬送され、これら搬送ローラ３と従動ローラとの間を通って、ストック部２に掻き落される。
【００１１】
本実施形態の搬送ローラ３は、駆動ローラ３ａとして構成されており、外径１６［ｍｍ］、幅約１０［ｍｍ］の円筒状に形成されている。この駆動ローラ３ａは、駆動ローラ軸３ｂ上に２つ設けられている。ここで、駆動ローラ軸３ｂは、直径約５［ｍｍ］、長さ３７７［ｍｍ］に設定されており、駆動ローラ３ａは、夫々、駆動ローラ軸３ｂの一端部から、略１２５［ｍｍ］の位置及び略２１２［ｍｍ］の位置に設置されている。そして、駆動ローラ軸３ｂの一端側は、搬送装置１の本体部に軸支され、他端側は、本体部に軸支されるとともに、駆動装置からの駆動力を受ける駆動部（ギヤ）が形成されている。
【００１２】
従動ローラは、駆動ローラ３ａと同じ形状、同じ大きさの円筒状部材で構成されており、駆動ローラ３ａと同様に、外径１６［ｍｍ］、幅約１０［ｍｍ］に設定されている。ここで、従動ローラは、駆動ローラ３ａ夫々と対になるように、従動ローラ軸上に２つ設置され、夫々、駆動ローラ３ａに接した状態に配置される。そして、従動ローラは、駆動ローラ３ａと同期して反対方向に回転するように構成されている。従動ローラ軸は、駆動ローラ軸３ｂと同様に、直径約５［ｍｍ］、長さ３７７［ｍｍ］に設定されている。
【００１３】
補助コロ４は、図２及び図３に示すように、略手裏剣状の板状部材で構成され、シートを傷めないように、スポンジ等の弾性部材で構成されている。そして、補助コロ４は、正転方向（図３に矢印で示す方向）で外形が順次スムーズに増加する外径増加部４ａと、外径増加部４ａの最大外径部位から最小外径部位まで外径が急減する段差部４ｂとを備えている。外径増加部４ａ及び段差部４ｂは、補助コロ４の外周縁部に、交互に４つずつ形成されている。尚、４つの外径増加部４ａは全て同じ形状に形成され、同様に、４つの段差部４ｂは全て同じ形状に形成されている。
【００１４】
外径増加部４ａは、外形の増加量が順次減少するように螺線状に形成されており、逆転動作時に引込防止部６として作用する。段差部４ｂは、径方向に沿って直線状に形成され、正転動作時に掻落し部５として作用する。ここで、搬送ローラ３の外径１６［ｍｍ］に対して、補助コロ４の最大外径部位は直径約１８［ｍｍ］、最小外径部位は直径約１５［ｍｍ］に設定されており、補助コロ４の最小外径部位の径が搬送ローラ３の外径より小径に設定され、且つ、補助コロ４の最大外径部位の径が搬送ローラ３の外径より大径になるように設定されている。また、補助コロ４の厚さは、約３［ｍｍ］に設定されている。そして、補助コロ４の中央部分には、駆動ローラ軸３ｂに係合するための係合孔４ｃが形成されている。係合孔４ｃは、駆動ローラ軸３ｂの直径に合わせて、直径約５［ｍｍ］に設定されている。
【００１５】
更に、補助コロ４は、駆動ローラ軸３ｂ上に、駆動ローラ３ａの外側にスペーサ７を介して設置されている。図３に示す矢印の方向を正転方向として、正転動作時に、段差部４ｂがシートの後端部に当接する向きに配設さている。
【００１６】
スペーサ７は、円筒状部材であり、外径約１０［ｍｍ］、内径約６［ｍｍ］、厚さ約４［ｍｍ］に設定されている。このスペーサ７は、補助コロ４の内側、駆動ローラ３ａの外側に、補助コロ４及び駆動ローラ３ａに接した状態で、駆動ローラ軸３ｂ上に配設されている。これによって、補助コロ４は駆動ローラ３ａに対して所定の間隔をおいて配置されることとなり、搬送対象物であるシートに良好に腰を付けることができる。
【００１７】
尚、本実施形態では、補助コロ４を駆動ローラ軸３ｂ上に設けたが、本実施形態の駆動ローラ３ａの位置に従動ローラが構成され、本実施形態の従動ローラの位置に駆動ローラ３ａが構成されている場合には、従動ローラ軸上に補助コロ４を設置する。また、本実施形態では、補助コロ４を、駆動ローラ３ａの外側にスペーサ７を介して配設したが、駆動ローラ３ａの内側にスペーサ７を介して配設するのも好ましい実施態様である。
【００１８】
更に、本実施形態では、補助コロ４の引込防止部６（外径増加部４ａ）を螺線状に形成したが、これに限られるものではなく、直線状に形成する等、ストック部２の積層状態にあるシートに対し滑るように作用する形状であれば良い。同様に、補助コロ４の掻落し部５（段差部４ｂ）の形状は、直線状の形状に限られず、シートを良好にストック部２に掻落すことができる形状であれば良い。
【００１９】
本実施形態では、スペーサ７の厚さを約４［ｍｍ］に設定したが、これに限られない。搬送ローラと補助コロとの間隔をシートに良好に腰を付けることができる厚さに設定し、スペーサ７の厚さをこの厚さに形成する。何れの構成にしても本発明の目的を達成することができる。
【図面の簡単な説明】
【００２０】
【図１】本発明に係る搬送装置を適用した複写機の斜視図
【図２】本発明に係る搬送装置の駆動ローラの斜視図
【図３】本発明に係る搬送装置の補助コロの模式図
【図４】本発明に係る搬送装置の駆動ローラの模式図
【符号の説明】
【００２１】
１    搬送装置
２    ストック部
３    搬送ローラ
３ａ  駆動ローラ
４    補助コロ
５    掻落し部
６    引込防止部
７    スペーサ
【図１】
2005187084.tif 000003
【図２】
2005187084.tif 000004
【図３】
2005187084.tif 000005
【図４】
2005187084.tif 000006